(57)【要約】【課題】構造物に対する点検結果の記載をより効率よく行うことが可能な技術が提供されることが望まれる。【解決手段】所定の構造物に対するユーザの視点に応じた前記構造物に関する図面データの表示を制御する表示制御部と、前記視点の切り替えを検出する検出部と、を備え、前記表示制御部は、前記視点の切り替えが検出された場合、前記図面データに対するアフィン変換後の図面データの表示を制御する、情報処理装置が提供される。【選択図】図１
2018116592.tif 000002
【特許請求の範囲】
【請求項１】
所定の構造物に対するユーザの視点に応じた前記構造物に関する図面データの表示を制御する表示制御部と、
前記視点の切り替えを検出する検出部と、を備え、
前記表示制御部は、前記視点の切り替えが検出された場合、前記図面データに対するアフィン変換後の図面データの表示を制御する、
情報処理装置。
【請求項２】
前記表示制御部は、前記ユーザの切り替え後の視点に応じた前記アフィン変換後の図面データの表示を制御する、
請求項１に記載の情報処理装置。
【請求項３】
前記表示制御部は、前記構造物に関する図面データに対して左右反転および上下反転の少なくともいずれか一方がなされた前記アフィン変換後の図面データを得る、
請求項１に記載の情報処理装置。
【請求項４】
前記情報処理装置は、
前記アフィン変換後の図面データに対して前記ユーザによって入力された点検結果データを取得する点検結果データ取得部と、
前記点検結果データに基づく記録を制御する記録制御部と、
を備える、請求項１に記載の情報処理装置。
【請求項５】
前記表示制御部は、前記アフィン変換後の図面データに前記点検結果データが合成された合成画像の表示を制御する、
請求項４に記載の情報処理装置。
【請求項６】
前記点検結果データは、前記アフィン変換後の図面データにおける変状位置を示す情報と前記変状位置に生じた変状種類を示す情報とを含み、
前記表示制御部は、前記変状位置を示す情報と前記変状種類を示す情報とに応じた所定の表示オブジェクトを前記アフィン変換後の図面データに合成する、
請求項５に記載の情報処理装置。
【請求項７】
前記表示オブジェクトは、表示画像と文字列とを含む、
請求項６に記載の情報処理装置。
【請求項８】
前記表示制御部は、前記視点の再度の切り替えが検出された場合、前記アフィン変換後の図面データに対する再度のアフィン変換後の図面データに、前記表示画像に対して前記再度のアフィン変換と同一のアフィン変換がされた後の表示画像を合成する、
請求項７に記載の情報処理装置。
【請求項９】
前記表示制御部は、前記視点の再度の切り替えが検出された場合、前記再度のアフィン変換後の図面データに、前記文字列に対して前記再度のアフィン変換と同一のアフィン変換のうち位置のみの変換がされた後の文字列を合成する、
請求項８に記載の情報処理装置。
【請求項１０】
前記検出部は、前記切り替え後の視点を検出し、
前記表示制御部は、前記切り替え後の視点が検出された場合、前記切り替え後の視点に応じたアフィン変換後の図面データの表示を制御する、
請求項１に記載の情報処理装置。
【請求項１１】
前記検出部は、前記ユーザによって入力された前記視点の切り替え操作に基づいて、前記切り替え後の視点を検出する、
請求項１０に記載の情報処理装置。
【請求項１２】
前記検出部は、所定のセンサによって検出されたセンサデータに基づいて、前記切り替え後の視点を検出する、
請求項１０に記載の情報処理装置。
【請求項１３】
前記表示制御部は、前記構造物に関する図面データが前記構造物の分割によって得られる第１の分割データおよび第２の分割データのうちの前記第１の分割データに相当する場合、所定の遷移操作が検出された場合、前記第１の分割データの表示を停止するとともに前記第２の分割データの表示を開始する、
請求項１に記載の情報処理装置。
【請求項１４】
前記表示制御部は、前記ユーザの視点に応じた路面に関する図面データの表示を制御する、
請求項１に記載の情報処理装置。
【請求項１５】
前記構造物に関する図面データは、前記ユーザの視点に応じた前記構造物の展開図を含む、
請求項１に記載の情報処理装置。
【請求項１６】
前記構造物は、道路トンネル、鉄道トンネル、橋梁、シェッド、カルバート、および、歩道橋の少なくともいずれか一つを含む、
請求項１に記載の情報処理装置。
【請求項１７】
所定の構造物に対するユーザの視点に応じた前記構造物に関する図面データの表示を制御することと、
前記視点の切り替えを検出することと、
前記視点の切り替えが検出された場合、前記図面データに対するアフィン変換後の図面データの表示を制御することと、
を含む、情報処理方法。
【請求項１８】
コンピュータを、
所定の構造物に対するユーザの視点に応じた前記構造物に関する図面データの表示を制御する表示制御部と、
前記視点の切り替えを検出する検出部と、を備え、
前記表示制御部は、前記視点の切り替えが検出された場合、前記図面データに対するアフィン変換後の図面データの表示を制御する、
情報処理装置として機能させるためのプログラム。
【発明の詳細な説明】
【技術分野】
【０００１】
本発明は、情報処理装置、情報処理方法およびプログラムに関する。
【背景技術】
【０００２】
近年、構造物に対する点検業務を支援するシステムに関する技術として様々な技術が開示されている。例えば、トンネルの壁面を撮像して得られた画像と、レーザスキャナによって計測されたトンネルの壁面における複数の測定点それぞれの座標および反射強度値とに基づいて、展開図を作成する技術が開示されている（例えば、特許文献１参照）。
【０００３】
また、携帯型ＰＣ（Ｐｅｒｓｏｎａｌ  Ｃｏｍｐｕｔｅｒ）の入力画面における入力数値に基づいて、展開図を自動作成して表示し、表示した展開図において変状箇所を直接入力させる技術が開示されている（例えば、特許文献２参照）。また、構造物の測定対象領域を所定単位に分割し、打音測定装置によって得られた打音データに基づいて診断データを作成し、診断データを展開図上に重畳させる技術が開示されている（例えば、特許文献３参照）。
【０００４】
かかる一般的な技術においては、構造物を上部から見下ろすような視点で作成された図面（以下、「見下げ図」とも言う。）に対して点検結果が記載される（入力される）。一例として、トンネル点検業務においては、野帳（トンネルの図面を印刷した用紙）に対する点検結果の記載によって変状展開図が作成される。他の一例として、橋梁点検業務においては、野帳（橋梁の図面を印刷した用紙）に対する点検結果の記載によって損傷図が作成される。
【先行技術文献】
【特許文献】
【０００５】
【特許文献１】特開２０１２−２２０４７１号公報
【特許文献２】特開２００２−０８３０１７号公報
【特許文献３】特開２００３−０５７２１８号公報
【発明の概要】
【発明が解決しようとする課題】
【０００６】
しかし、見下げ図に対して点検結果が記載される場合、構造物の内部または下部を視点として構造物の点検結果を記載するためには、点検実施者（ユーザ）が自ら点検結果を見下げ図に入力可能な形式に変換する必要が生じる（視点変換を行う必要が生じる）。そのため、点検業務を効率よく行うために点検実施者の十分な経験を要するだけではなく、点検結果の記載ミスが発生する可能性がある。
【０００７】
そこで、構造物に対する点検結果の記載をより効率よく行うことが可能な技術が提供されることが望まれる。
【課題を解決するための手段】
【０００８】
上記問題を解決するために、本発明のある観点によれば、所定の構造物に対するユーザの視点に応じた前記構造物に関する図面データの表示を制御する表示制御部と、前記視点の切り替えを検出する検出部と、を備え、前記表示制御部は、前記視点の切り替えが検出された場合、前記図面データに対するアフィン変換後の図面データの表示を制御する、情報処理装置が提供される。
【０００９】
また、本発明の他の観点によれば、所定の構造物に対するユーザの視点に応じた前記構造物に関する図面データの表示を制御することと、前記視点の切り替えを検出することと、前記視点の切り替えが検出された場合、前記図面データに対するアフィン変換後の図面データの表示を制御することと、を含む、情報処理方法が提供される。
【００１０】
また、本発明の他の観点によれば、コンピュータを、所定の構造物に対するユーザの視点に応じた前記構造物に関する図面データの表示を制御する表示制御部と、前記視点の切り替えを検出する検出部と、を備え、前記表示制御部は、前記視点の切り替えが検出された場合、前記図面データに対するアフィン変換後の図面データの表示を制御する、情報処理装置として機能させるためのプログラムが提供される。
【発明の効果】
【００１１】
以上説明したように本発明によれば、構造物に対する点検結果の記載をより効率よく行うことが可能となる。
【図面の簡単な説明】
【００１２】
【図１】本発明の実施形態に係る情報処理システムの構成例を示した説明図である。
【図２】同実施形態に係るタブレット端末（情報処理装置）の機能構成例を示すブロック図である。
【図３】見下げ図の作成例を説明するための図である。
【図４】見下げ図表示画面の例を示す図である。
【図５】入力画面の例を示す図である。
【図６】合成画像の表示例を示す図である。
【図７】ユーザが道路トンネルの内部のうち左車線側を点検する場合を説明するための図である。
【図８】見上げ図（左車線）の作成例を説明するための図および合成画像の表示例を示す図である。
【図９】ユーザが道路トンネルの内部のうち右車線側を点検する場合を説明するための図である。
【図１０】見上げ図（右車線）の作成例を説明するための図および合成画像の表示例を示す図である。
【図１１】見下げ図、見上げ図（左車線）および見上げ図（右車線）のうち、あらゆる二つの組み合わせの間で行われる変換の例を示す図である。
【図１２】見下げ図、見上げ図（左車線）および見上げ図（右車線）のうち、あらゆる二つの道路トンネルに関する図面データ（壁面部分の図面データ）の組み合わせの間で行われる変換の例を示す図である。
【図１３】見下げ図、見上げ図（左車線）および見上げ図（右車線）のうち、あらゆる二つの路面に関する図面データ（路面部分の図面データ）の組み合わせの間で行われる変換の例を示す図である。
【図１４】本発明の実施形態に係る情報処理システムの動作例を示すフローチャートである。
【図１５】同実施形態に係るタブレット端末のハードウェア構成を示す図である。
【発明を実施するための形態】
【００１３】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１４】
また、本明細書および図面において、実質的に同一または類似の機能構成を有する複数の構成要素を、同一の符号の後に異なる数字を付して区別する。また、異なる実施形態の類似する構成要素については、同一の符号の後に異なるアルファベットを付して区別する。ただし、実質的に同一の機能構成を有する複数の構成要素等の各々を特に区別する必要がない場合、同一符号のみを付する。
【００１５】
（０．概要）
まず、本発明の実施形態の概要について説明する。近年、構造物に対する点検業務を支援するシステムに関する技術として様々な技術が開示されている。かかる技術において、一般には、構造物を上部から見下ろすような視点で作成された図面（以下、「見下げ図」とも言う。）に対して点検結果が記載される（入力される）。一例として、トンネル点検業務においては、野帳（トンネルの図面を印刷した用紙）に対する点検結果の記載によって変状展開図が作成される。他の一例として、橋梁点検業務においては、野帳（橋梁の図面を印刷した用紙）に対する点検結果の記載によって損傷図が作成される。
【００１６】
見下げ図に対して点検結果が記載される場合、構造物の内部または下部を視点として構造物の点検結果を記載するためには、点検実施者（ユーザ）が自ら点検結果を見下げ図に入力可能な形式に変換する必要が生じる（視点変換を行う必要が生じる）。そのため、点検業務を効率よく行うために点検実施者の十分な経験を要するだけではなく、点検結果の記載ミスが発生する可能性がある。そこで、本明細書においては、構造物に対する点検結果の記載をより効率よく行うことが可能な技術について主に提案する。
【００１７】
以上、本発明の実施形態の概要について説明した。
【００１８】
（１．実施形態の詳細）
まず、本発明の実施形態の詳細について説明する。
【００１９】
（１−１．情報処理システムの構成）
図１を参照しながら、本発明の実施形態に係る情報処理システム１の構成例について説明する。図１は、本発明の実施形態に係る情報処理システム１の構成例を示した説明図である。図１に示したように、情報処理システム１は、タブレット端末１０と、電子ペン２０とを備える。タブレット端末１０および電子ペン２０は、点検実施者（以下、「ユーザ」とも言う。）によって利用され、タブレット端末１０は、画面を表示する機能を有する。一方、電子ペン２０は、画面上の位置を入力する機能を有する。
【００２０】
なお、本発明の実施形態においては、情報処理システム１がタブレット端末１０を有する例を主に説明するが、情報処理システム１は、タブレット端末１０の代わりに他の情報処理装置（例えば、ノートＰＣ、スマートフォンなど）を有してもよい。また、本発明の実施形態においては、情報処理システム１が電子ペン２０を有する例を主に説明するが、電子ペン２０の代わりにユーザの身体の一部（例えば、ユーザの指など）が用いられてもよい。
【００２１】
以上、本発明の実施形態に係る情報処理システム１の構成例について説明した。
【００２２】
（１−２．タブレット端末の機能構成）
続いて、本発明の実施形態に係るタブレット端末（情報処理装置）１０の機能構成例について説明する。図２は、本発明の実施形態に係るタブレット端末（情報処理装置）１０の機能構成例を示すブロック図である。図２に示したように、本発明の実施形態に係るタブレット端末１０は、制御部１１０、入力部１２０、センサ部１３０、記憶部１４０および表示部１５０を備える。
【００２３】
制御部１１０は、タブレット端末１０の動作全体を制御する機能を有する。制御部１１０は、専用のハードウェアによって構成されてもよいし、タブレット端末１０に内蔵されたＣＰＵ（Ｃｅｎｔｒａｌ  Ｐｒｏｃｅｓｓｉｎｇ  Ｕｎｉｔ）がＲＯＭ（Ｒｅａｄ  Ｏｎｌｙ  Ｍｅｍｏｒｙ）に記憶されたプログラムをＲＡＭ（Ｒａｎｄｏｍ  Ａｃｃｅｓｓ  Ｍｅｍｏｒｙ）に展開して実行することにより実現されてもよい。かかるプログラムが提供され得る他、かかるプログラムを記憶させた記憶媒体も提供され得る。制御部１１０は、検出部１１１、処理部１１２、記録制御部１１３、点検結果データ取得部１１４および表示制御部１１５を備える。これらの各機能ブロックについては後に説明する。
【００２４】
入力部１２０は、画面に対する位置の入力を受け付ける入力装置によって構成され得る。本発明の実施形態においては、入力部１２０が、電子ペン２０の画面に対する接触位置または近接位置を検出するタッチパネルによって構成される例を主に説明する。しかし、入力部１２０は、タッチパネル以外の入力装置（例えば、キーボード、マウスなど）によって構成されてもよい。入力部１２０は、画面に対して入力された位置を制御部１１０に提供する。
【００２５】
センサ部１３０は、センサによって構成され得る。センサ部１３０は、かかるセンサによって検出されたセンサデータを得る。例えば、センサ部１３０は、タブレット端末１０の向きを検出し得る。ここで、タブレット端末１０の向きを検出する手法は特に限定されない。例えば、センサ部１３０が地磁気センサを有する場合、センサ部１３０は、地磁気センサによって検出された地磁気データに基づいて、タブレット端末１０が向いている方角をタブレット端末１０の向きとして検出してもよい。
【００２６】
あるいは、センサ部１３０が加速度センサを有する場合、センサ部１３０は、加速度センサによって検出された加速度に基づいて、タブレット端末１０の向きを検出してもよい。あるいは、センサ部１３０がジャイロセンサを有する場合、センサ部１３０は、ジャイロセンサによって検出された角速度に基づいて、タブレット端末１０の向きを検出してもよい。
【００２７】
記憶部１４０は、各種データを記憶する記憶装置によって構成され得る。例えば、制御部１１０を動作させるためのプログラムを記憶する。また、記憶部１４０は、制御部１１０を動作させるためのデータを記憶する。また、記憶部１４０は、制御部１１０の動作の過程で必要となる各種データを一時的に記憶することも可能である。
【００２８】
表示部１５０は、制御部１１０による制御に従って表示を行う機能を有する。例えば、表示部１５０は、制御部１１０によって生成された各種の画面を表示することが可能である。ここで、表示部１５０の形態は特に限定されない。例えば、表示部１５０は、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置、ランプなどの表示装置であってよい。
【００２９】
以上、本発明の実施形態に係るタブレット端末１０の機能構成例について説明した。
【００３０】
（１−３．情報処理システムの機能詳細）
続いて、本発明の実施形態に係る情報処理システム１の機能詳細について説明する。本発明の実施形態においては、ユーザが所定の構造物の例としての道路トンネルを点検し、電子ペン２０によって点検結果データをタブレット端末１０に入力する例を説明する。しかし、点検対象の構造物は道路トンネルに限定されない。例えば、点検対象の構造物は、鉄道トンネルであってもよいし、橋梁であってもよいし、シェッドであってもよいし、カルバートであってもよいし、歩道橋であってもよいし、他の構造物であってもよい。
【００３１】
（１−３−１．見下げ図の利用）
まず、ユーザは、タブレット端末１０および電子ペン２０を持って、点検対象の道路トンネルに赴く。タブレット端末１０において、表示制御部１１５は、道路トンネルに対するユーザの視点に応じた道路トンネルに関する図面データの表示を制御する。一例として、表示制御部１１５は、道路トンネルを上部から見下ろすような視点で作成された図面データ（見下げ図）の表示を制御する。なお、表示制御部１１５によって表示制御される図面データは、道路トンネルを上部から見下ろすような視点とは異なる視点で作成されてもよい。
【００３２】
また、見下げ図の作成は、タブレット端末１０によってあらかじめ作成されてもよいし、タブレット端末１０とは異なる装置によってあらかじめ作成されてもよい。また、見下げ図は、タブレット端末１０の記憶部１４０にあらかじめ記憶されていてもよいし、記憶部１４０とは異なる記憶装置（例えば、タブレット端末１０の外部の記憶装置など）によってあらかじめ記憶されていてもよい。
【００３３】
図３は、見下げ図の作成例を説明するための図である。図３を参照すると、見下げ図作成例Ｖ１０が示されている。見下げ図作成例Ｖ１０に示すように、見下げ図Ｆ１０は、道路トンネルＮ１０を上部から見下ろすような視点で作成され、道路トンネルに関する図面データＦ１１（壁面部分の図面データ）を含む。なお、見下げ図作成例Ｖ１０においては、見下げ図Ｆ１０が、ユーザの視点に応じた道路トンネルＮ１０の展開図（道路トンネルＮ１０を上部から見下ろすような視点で作成された展開図）を含む場合を示している。しかし、見下げ図Ｆ１０には、必ずしも道路トンネルＮ１０が正確に反映されていなくてもよい。
【００３４】
一例として、道路トンネルＮ１０はカーブする領域を有している場合も想定される。かかる場合、道路トンネルＮ１０のうちカーブする領域は、見下げ図Ｆ１０に正確に反映されなくてもよい。例えば、道路トンネルＮ１０のカーブする領域においては、より長い部分に合わせられるように、より短い部分が補正されてもよい。また、見下げ図Ｆ１０は、道路トンネルＮ１０の展開図でなくてもよく、道路トンネルＮ１０の平面図などであってもよい。
【００３５】
また、見下げ図Ｆ１０には、ユーザの視点に応じた路面に関する図面データＦ１２（道路トンネルＮ１０を上部から見下ろすような視点で作成された路面部分の図面データ）が含まれる。見下げ図Ｆ１０において、「Ｌ」は、路面のうち左車線を示しており、「Ｒ」は、路面のうち右車線を示している。また、見下げ図Ｆ１０には、道路トンネルＮ１０の長さを所定の長さごとに示す目盛りが含まれてもよい。例えば、図３に示した見下げ図Ｆ１０には、５ｍごとの目盛りが含まれている。
【００３６】
なお、本発明の実施形態においては、道路トンネルＮ１０の左側（および路面の左車線）が見下げ図Ｆ１０の上側に位置するように見下げ図Ｆ１０が作成される例を主に説明する。しかし、道路トンネルＮ１０の右側（および路面の右車線）が、見下げ図Ｆ１０の下側に位置するように見下げ図Ｆ１０が作成されてもよい。
【００３７】
このようにして作成された見下げ図Ｆ１０は、表示制御部１１５によって表示制御される。図４は、見下げ図表示画面の例を示す図である。図４に示すように、見下げ図表示画面Ｇ１０は、見下げ図Ｆ１０の他に、変状情報入力選択ボタンＢ１１、見下げ図選択ボタンＢ２１、見上げ図（左車線）選択ボタンＢ２２、見上げ図（右車線）選択ボタンＢ２３を含んでよい。見下げ図表示画面Ｇ１０が表示されると、ユーザは、電子ペン２０を用いて見下げ図Ｆ１０に対して点検結果データの入力を行ってよい。
【００３８】
例えば、点検結果データは、道路トンネルＮ１０および路面の少なくともいずれか一方における変状情報を含んでよい。すなわち、ユーザは、道路トンネルＮ１０の外側からの点検において、見下げ図Ｆ１０に対して入力したい変状情報が見つかった場合、変状情報の入力を選択してよい。例えば、変状情報の入力は、電子ペン２０によって変状情報入力選択ボタンＢ１１を選択することによって選択され得る。以下では、点検結果データが道路トンネルＮ１０における変状情報を含む場合を主に想定する。なお、見下げ図選択ボタンＢ２１、見上げ図（左車線）選択ボタンＢ２２、見上げ図（右車線）選択ボタンＢ２３については後に説明する。
【００３９】
ここで、変状情報はどのような情報を含んでもよい。一例として、変状情報は、変状位置を示す情報とその変状位置に生じた変状種類を示す情報とを含んでよい。すなわち、ユーザは、見下げ図Ｆ１０に対して、変状位置を示す情報と変状種類を示す情報とを入力する。入力部１２０は、変状位置を示す情報と変状種類を示す情報との入力を受け付ける。以下では、変状情報が、変状位置を示す情報と変状種類を示す情報とを含む場合を主に想定する。
【００４０】
例えば、ユーザが電子ペン２０によって変状情報入力選択ボタンＢ１１を選択すると、変状情報入力選択ボタンＢ１１の選択が入力部１２０によって受け付けられる。そして、ユーザが道路トンネルＮ１０における変状位置に対応する見下げ図Ｆ１０における位置Ｐを電子ペン２０によって入力すると、入力部１２０によってその位置Ｐを示す情報（座標Ｐ（Ｘ，Ｙ））の入力が変状位置を示す情報（座標Ｐ（Ｘ，Ｙ））として受け付けられる。
【００４１】
入力部１２０によって変状位置を示す情報（座標Ｐ（Ｘ，Ｙ））の入力が受け付けられると、表示制御部１１５は、入力画面の表示を制御する。図５は、入力画面の例を示す図である。図５に示すように、入力画面Ｇ１１は、変状部位、変状内容および変状発生範囲規模それぞれの入力欄を含んでよい。また、変状部位は、対象箇所、部位区分を含んでよく、変状内容は、変状区分、変状種類を含んでよく、変状発生範囲規模は、幅×長さ、メモ、健全性を含んでよい。
【００４２】
より具体的に、図５に示した例では、入力画面Ｇ１１は、対象箇所入力欄Ｔ１１、部位区分入力欄Ｔ１２、変状区分入力欄Ｔ１３、変状種類入力欄（変状種類を示す情報の入力欄）Ｔ１４、幅×長さ入力欄Ｔ１５、メモ入力欄Ｔ１６、健全性入力欄Ｔ１７を含んでいる。なお、これらの入力欄に対する入力はどのようになされてもよい。例えば、表示制御部１１５によってキーボードが表示制御される場合、キーボードを用いてこれらの入力欄それぞれに対して情報の入力が可能であってもよいし、表示制御部１１５によって選択肢が表示される場合、選択肢を用いてこれらの入力欄に対して各情報の入力が可能であってもよい。
【００４３】
その他、入力画面Ｇ１１は、ＯＫボタンＢ３１、キャンセルボタンＢ３２を含んでよい。例えば、ユーザが電子ペン２０によってキャンセルボタンＢ３２を選択すると、キャンセルボタンＢ３２の選択が入力部１２０によって受け付けられる。そして、表示制御部１１５は、入力画面Ｇ１１の表示をキャンセルするとともに、見下げ図表示画面Ｇ１０の表示を制御する。
【００４４】
一方、ユーザが電子ペン２０によってＯＫボタンＢ３１を選択すると、ＯＫボタンＢ３１の選択が入力部１２０によって受け付けられる。そして、対象箇所入力欄Ｔ１１、部位区分入力欄Ｔ１２、変状区分入力欄Ｔ１３、変状種類入力欄Ｔ１４、幅×長さ入力欄Ｔ１５、メモ入力欄Ｔ１６、健全性入力欄Ｔ１７それぞれに入力された情報の他、上記のようにして入力された変状位置を示す情報（座標Ｐ（Ｘ，Ｙ））が、点検結果データ取得部１１４によって取得される。
【００４５】
点検結果データ取得部１１４によって取得された各情報は、記録制御部１１３によって記録制御される。点検結果データ取得部１１４によって取得された各情報がどこに記録されるかは限定されない。本発明の実施形態においては、点検結果データ取得部１１４によって取得された各情報が記憶部１４０に記録される場合を主に想定するが、記憶部１４０とは異なる記憶装置（例えば、タブレット端末１０と通信可能なサーバの記憶装置など）に記録されてもよい。
【００４６】
また、点検結果データ取得部１１４によって各情報が取得されると、表示制御部１１５は、見下げ図Ｆ１０に点検結果データを合成し、見下げ図Ｆ１０に点検結果データが合成された合成画像の表示を制御する。例えば、表示制御部１１５は、変状位置を示す情報（座標Ｐ（Ｘ，Ｙ））と変状種類を示す情報（変状種類入力欄Ｔ１４に入力された情報）とに応じた所定の表示オブジェクトを見下げ図Ｆ１０に合成する。例えば、所定の表示オブジェクトは、表示画像と文字列とを含んでよい。
【００４７】
すなわち、表示制御部１１５は、変状位置を示す情報（座標Ｐ（Ｘ，Ｙ））と変状種類を示す情報（変状種類入力欄Ｔ１４に入力された情報）とに応じた表示画像を見下げ図Ｆ１０に合成してよい。また、表示制御部１１５は、変状位置を示す情報（座標Ｐ（Ｘ，Ｙ））と変状種類を示す情報（変状種類入力欄Ｔ１４に入力された情報）とに応じた文字列を見下げ図Ｆ１０に合成してよい。
【００４８】
図６は、合成画像の表示例を示す図である。図６に示すように、表示制御部１１５は、見下げ図Ｆ１０における変状位置Ｐ（Ｘ，Ｙ）に対して、変状種類を示す情報（変状種類入力欄Ｔ１４に入力された情報「ひび割れ」）に対応する表示画像Ｄ１１を合成してよい。また、図６に示すように、表示制御部１１５は、見下げ図Ｆ１０における変状位置Ｐ（Ｘ，Ｙ）に応じた位置に対して、変状種類を示す情報（変状種類入力欄Ｔ１４に入力された情報「ひび割れ」）に対応する文字列Ｅ１１「ひび割れ」を合成してよい。
【００４９】
なお、本発明の実施形態においては、説明を簡便にするため、変状位置を示す情報として１点の座標Ｐ（Ｘ，Ｙ）が入力される場合を主に想定する。しかし、変状が一定の範囲を有する場合もある。そこで、変状位置を示す情報として、複数の点の座標それぞれが入力されてもよい。このとき、ユーザが電子ペン２０を用いて曲線を描いた場合、その曲線上の複数の点それぞれの座標が入力されてもよいし、ユーザによって複数の点の座標が電子ペン２０を用いて１つずつ入力されてもよい。
【００５０】
また、本発明の実施形態においては、図面の見やすさを考慮して、表示画像Ｄ１１の形状が三角形である場合を主に想定する。しかし、表示画像Ｄ１１の形状は限定されない。例えば、変状位置を示す情報として、複数の点の座標それぞれが入力される場合、表示画像Ｄ１１の形状は、複数の点それぞれの座標に応じた形状であってもよい。例えば、表示画像Ｄ１１の形状は、複数の点それぞれの座標を結んだ曲線であってもよい。あるいは、変状位置を示す情報として、２つの点それぞれの座標が入力される場合、表示画像Ｄ１１の形状は、その２点を対角線の頂点とする矩形領域であってもよい。
【００５１】
（１−３−２．見上げ図（左車線）の利用）
続いて、ユーザは、タブレット端末１０および電子ペン２０を持ったまま、道路トンネルＮ１０の内部に移動する。そして、ユーザは、道路トンネルＮ１０の内部（壁面および路面）のうち左車線側および右車線側のいずれかをまず点検する。ここでは、ユーザが、道路トンネルＮ１０の内部のうち左車線側をまず点検する場合を想定する。
【００５２】
図７は、ユーザが道路トンネルＮ１０の内部のうち左車線側を点検する場合を説明するための図である。図７に示すように、ユーザＵ１は、道路トンネルＮ１０の内部のうち左車線側「Ｌ」を点検する場合には、タブレット端末１０と電子ペン２０とを持ちながら、道路トンネルＮ１０の内部のうち左車線側を向く。ユーザＵ１は、道路トンネルＮ１０の内部のうち左車線側を向くことによって、右車線側を点検するのが困難となる（図７の破線矢印）。
【００５３】
一方、ユーザＵ１は、道路トンネルＮ１０の内部のうち左車線側を向くことによって、左車線側を容易に点検することが可能となる（図７の実線矢印）。ここで、検出部１１１は、ユーザＵ１の道路トンネルＮ１０に対する視点の切り替えを検出する。より具体的には、検出部１１１は、ユーザＵ１の切り替え後の視点（例えば、左車線側を向いているか、右車線側を向いているか）を検出する。ここで、ユーザＵ１の切り替え後の視点はどのように検出されてもよい。
【００５４】
一例として、検出部１１１は、センサ部１３０によって検出されたセンサデータに基づいて、ユーザＵ１の切り替え後の視点を検出してもよい。例えば、センサ部１３０が上記したような手法によってタブレット端末１０の向きを検出することが可能である場合、検出部１１１は、センサ部１３０によって検出されたタブレット端末１０の向きを、ユーザＵ１の切り替え後の視点として検出してもよい。以下では、検出部１１１が、ユーザＵ１によって入力された視点の切り替え操作に基づいて、ユーザＵ１の切り替え後の視点を検出する場合を主に想定する。
【００５５】
ここでは、左車線側の点検が先に行われる場合を想定するため、ユーザＵ１が、見上げ図（左車線）選択ボタンＢ２２（図４）を選択する場合を想定する。入力部１２０によって、見上げ図（左車線）選択ボタンＢ２２の選択が受け付けられると、検出部１１１によって、かかる選択が検出される。検出部１１１によって、かかる選択が検出されると、処理部１１２は、道路トンネルに関する図面データＦ１１（壁面部分の図面データ）に対してアフィン変換を行い、表示制御部１１５は、アフィン変換後の図面データの表示を制御する。
【００５６】
より具体的には、処理部１１２は、ユーザＵ１の切り替え後の視点に応じて道路トンネルに関する図面データＦ１１（壁面部分の図面データ）に対してアフィン変換を行う。アフィン変換は、左右反転および上下反転の少なくともいずれか一方であってよい。すなわち、処理部１１２は、道路トンネルに関する図面データＦ１１（壁面部分の図面データ）に対して左右反転および上下反転の少なくともいずれか一方を行ってよい。
【００５７】
かかる構成によれば、道路トンネルＮ１０の内部を視点として道路トンネルＮ１０の点検結果を記載するために、ユーザが自ら点検結果を見下げ図に入力可能な形式に変換する必要がなくなる（視点変換を行う必要がなくなる）。そのため、道路トンネルＮ１０に対する点検結果の記載をより効率よく行うことが可能となる。より具体的には、ユーザの十分な経験を要することなく、点検業務を効率よく行うことが可能となり、点検結果の記載ミスが発生する可能性が低減される。
【００５８】
なお、本発明の実施形態においては、ユーザＵ１の視点が切り替わる度に、処理部１１２がアフィン変換を行う場合を主に想定する。しかし、アフィン変換後の図面データは、タブレット端末１０の記憶部１４０にあらかじめ記憶されていてもよいし、記憶部１４０とは異なる記憶装置（例えば、タブレット端末１０の外部の記憶装置など）によってあらかじめ記憶されていてもよい。かかる場合には、処理部１１２によるアフィン変換は行われなくてよい。
【００５９】
そして、表示制御部１１５は、アフィン変換後の図面データの他、ユーザの視点に応じた路面に関する図面データを含む見上げ図（左車線）の表示を制御してよい。そして、ユーザは、道路トンネルＮ１０の左車線側の点検において、見上げ図（左車線）に対して入力したい変状情報が見つかった場合、変状情報の入力を選択してよい。例えば、変状情報の入力は、電子ペン２０によって変状情報入力選択ボタンＢ１１を選択することによって選択され得る。
【００６０】
そして、ユーザが道路トンネルＮ１０における変状位置に対応する見上げ図（左車線）における位置を電子ペン２０によって入力すると、入力部１２０によってその位置を示す情報の入力が変状位置を示す情報として受け付けられる。そして、表示制御部１１５は、入力画面Ｇ１１（図５）の表示を制御する。ここで、図５を参照しながら説明したように、入力画面Ｇ１１の各入力欄に対する入力が行われ、ＯＫボタンＢ３１が選択されると、各入力欄に入力された情報の他、上記のようにして入力された変状位置を示す情報が、点検結果データ取得部１１４によって取得される。
【００６１】
点検結果データ取得部１１４によって取得された各情報は、記録制御部１１３によって記録制御される。このとき、変状位置を示す情報は、見上げ図（左車線）における変状位置を示す情報のまま記録制御されてもよいが、見上げ図（左車線）における変状位置を示す情報から見下げ図における変状位置を示す情報に変換された上で記録制御されるのが望ましい。そうすれば、記録される変状位置を示す情報がすべて見下げ図を基準とした情報に統一される。
【００６２】
また、点検結果データ取得部１１４によって各情報が取得されると、表示制御部１１５は、見上げ図（左車線）に点検結果データを合成し、見上げ図（左車線）に点検結果データが合成された合成画像の表示を制御する。例えば、表示制御部１１５は、変状位置を示す情報と変状種類を示す情報とに応じた所定の表示オブジェクトを見上げ図（左車線）に合成する。例えば、所定の表示オブジェクトは、表示画像と文字列とを含んでよい。
【００６３】
すなわち、表示制御部１１５は、変状位置を示す情報と変状種類を示す情報とに応じた表示画像を見上げ図（左車線）に合成してよい。また、表示制御部１１５は、変状位置を示す情報と変状種類を示す情報とに応じた文字列を見上げ図（左車線）に合成してよい。ここでは、変状位置を示す情報と変状種類を示す情報とに応じた表示画像が見上げ図（左車線）に合成される場合を想定する。
【００６４】
図８は、見上げ図（左車線）の作成例を説明するための図および合成画像の表示例を示す図である。図８を参照すると、見上げ図（左車線）作成例Ｖ２０が示されている。見上げ図（左車線）作成例Ｖ２０に示すように、見上げ図（左車線）Ｆ２０は、道路トンネルＮ１０の内部において左車線側を見上げるような視点に対応する。
【００６５】
そこで、見下げ図Ｆ１０と見上げ図（左車線）Ｆ２０とを比較すると、道路トンネルに関する図面データＦ１１と道路トンネルに関する図面データＦ２１との間においては、左車線と右車線との位置関係が逆転している（上下が反転されている）。すなわち、処理部１１２は、道路トンネルに関する図面データＦ１１に対して上下反転させることによって道路トンネルに関する図面データＦ２１を得ればよい。
【００６６】
一方、見下げ図Ｆ１０と見上げ図（左車線）Ｆ２０とを比較すると、路面に関する図面データＦ１２と路面に関する図面データＦ２２との間においては、左車線と右車線との位置関係が逆転していない。すなわち、処理部１１２は、路面に関する図面データＦ１２を反転させずに路面に関する図面データＦ２２を得ればよい。
【００６７】
また、図８に示すように、表示制御部１１５は、見上げ図（左車線）Ｆ２０における変状位置に対して、変状種類を示す情報に対応する表示画像Ｄ１２を合成してよい。
【００６８】
なお、図８に示すように、処理部１１２は、見下げ図Ｆ１０に合成されていた表示画像Ｄ１１（図６）に対しても、道路トンネルに関する図面データＦ１１から道路トンネルに関する図面データＦ２１へのアフィン変換と同一のアフィン変換（すなわち、上下反転）を行ってよい。そして、表示制御部１１５は、当該アフィン変換後の表示画像Ｄ１１を見上げ図（左車線）Ｆ２０に合成してよい。
【００６９】
また、処理部１１２は、見下げ図Ｆ１０に合成されていた文字列Ｅ１１（図６）に対しては、道路トンネルに関する図面データＦ１１から道路トンネルに関する図面データＦ２１へのアフィン変換と同一のアフィン変換のうち位置のみの変換（すなわち、向きの無反転、位置の上下反転）を行ってよい。そして、表示制御部１１５は、当該アフィン変換後の文字列Ｅ１１を見上げ図（左車線）Ｆ２０に合成してよい。
【００７０】
（１−３−３．見上げ図（右車線）の利用）
続いて、ユーザは、タブレット端末１０および電子ペン２０を持ったまま、道路トンネルＮ１０の内部（壁面および路面）のうち左車線側および右車線側の他方を点検する。ここでは、ユーザが、道路トンネルＮ１０の内部のうち左車線側に続いて、道路トンネルＮ１０の内部のうち右車線側を点検する場合を想定する。
【００７１】
図９は、ユーザが道路トンネルＮ１０の内部のうち右車線側を点検する場合を説明するための図である。図９に示すように、ユーザＵ１は、道路トンネルＮ１０の内部のうち右車線側「Ｒ」を点検する場合には、タブレット端末１０と電子ペン２０とを持ちながら、道路トンネルＮ１０の内部のうち右車線側を向く。ユーザＵ１は、道路トンネルＮ１０の内部のうち右車線側を向くことによって、左車線側を点検するのが困難となる（図９の破線矢印）。
【００７２】
一方、ユーザＵ１は、道路トンネルＮ１０の内部のうち右車線側を向くことによって、右車線側を容易に点検することが可能となる（図９の実線矢印）。ここで、検出部１１１は、上記したようにして、ユーザＵ１の道路トンネルＮ１０に対する視点の切り替え（視点の再度の切り替え）を検出する。ここでは、右車線側の点検が行われる場合を想定するため、ユーザＵ１が、見上げ図（右車線）選択ボタンＢ２３（図４）を選択する場合を想定する。
【００７３】
入力部１２０によって、見上げ図（右車線）選択ボタンＢ２３の選択が受け付けられると、検出部１１１によって、かかる選択が検出される。検出部１１１によって、かかる選択が検出されると、処理部１１２は、道路トンネルに関する図面データＦ２１（壁面部分の図面データ）に対してアフィン変換を行い、表示制御部１１５は、アフィン変換後の図面データの表示を制御する。
【００７４】
より具体的には、処理部１１２は、ユーザＵ１の切り替え後の視点に応じて道路トンネルに関する図面データＦ２１（壁面部分の図面データ）に対してアフィン変換（道路トンネルに関する図面データＦ１１を基準とすると再度のアフィン変換）を行う。アフィン変換は、左右反転および上下反転の少なくともいずれか一方であってよい。すなわち、処理部１１２は、道路トンネルに関する図面データＦ２１（壁面部分の図面データ）に対して左右反転および上下反転の少なくともいずれか一方を行ってよい。
【００７５】
そして、表示制御部１１５は、アフィン変換後の図面データの他、ユーザの視点に応じた路面に関する図面データを含む見上げ図（右車線）の表示を制御してよい。そして、ユーザは、道路トンネルＮ１０の右車線側の点検において、見上げ図（右車線）に対して入力したい変状情報が見つかった場合、変状情報の入力を選択してよい。例えば、変状情報の入力は、電子ペン２０によって変状情報入力選択ボタンＢ１１を選択することによって選択され得る。
【００７６】
そして、ユーザが道路トンネルＮ１０における変状位置に対応する見上げ図（右車線）における位置を電子ペン２０によって入力すると、入力部１２０によってその位置を示す情報の入力が変状位置を示す情報として受け付けられる。そして、表示制御部１１５は、入力画面Ｇ１１（図５）の表示を制御する。ここで、図５を参照しながら説明したように、入力画面Ｇ１１の各入力欄に対する入力が行われ、ＯＫボタンＢ３１が選択されると、各入力欄に入力された情報の他、上記のようにして入力された変状位置を示す情報が、点検結果データ取得部１１４によって取得される。
【００７７】
点検結果データ取得部１１４によって取得された各情報は、記録制御部１１３によって記録制御される。このとき、変状位置を示す情報は、見上げ図（右車線）における変状位置を示す情報のまま記録制御されてもよいが、見上げ図（右車線）における変状位置を示す情報から見下げ図における変状位置を示す情報に変換された上で記録制御されるのが望ましい。そうすれば、記録される変状位置を示す情報がすべて見下げ図を基準とした情報に統一される。
【００７８】
また、点検結果データ取得部１１４によって各情報が取得されると、表示制御部１１５は、見上げ図（右車線）に点検結果データを合成し、見上げ図（右車線）に点検結果データが合成された合成画像の表示を制御する。例えば、表示制御部１１５は、変状位置を示す情報と変状種類を示す情報とに応じた所定の表示オブジェクトを見上げ図（右車線）に合成する。例えば、所定の表示オブジェクトは、表示画像と文字列とを含んでよい。
【００７９】
すなわち、表示制御部１１５は、変状位置を示す情報と変状種類を示す情報とに応じた表示画像を見上げ図（右車線）に合成してよい。また、表示制御部１１５は、変状位置を示す情報と変状種類を示す情報とに応じた文字列を見上げ図（右車線）に合成してよい。ここでは、変状位置を示す情報と変状種類を示す情報とに応じた表示画像が見上げ図（右車線）に合成される場合を想定する。
【００８０】
図１０は、見上げ図（右車線）の作成例を説明するための図および合成画像の表示例を示す図である。図１０を参照すると、見上げ図（右車線）作成例Ｖ３０が示されている。見上げ図（右車線）作成例Ｖ３０に示すように、見上げ図（右車線）Ｆ３０は、道路トンネルＮ１０の内部において右車線側を見上げるような視点に対応する。
【００８１】
そこで、見上げ図（左車線）Ｆ２０と見上げ図（右車線）Ｆ３０とを比較すると、道路トンネルに関する図面データＦ２１と道路トンネルに関する図面データＦ３１との間においては、左車線と右車線との位置関係が逆転し、左車線および右車線それぞれの向きが反対になっている（上下が反転されており、左右が反転されている）。すなわち、処理部１１２は、道路トンネルに関する図面データＦ２１に対して上下反転および左右反転させることによって道路トンネルに関する図面データＦ３１を得ればよい。
【００８２】
一方、見上げ図（左車線）Ｆ２０と見上げ図（右車線）Ｆ３０とを比較すると、路面に関する図面データＦ２２と路面に関する図面データＦ３２との間においては、左車線と右車線との位置関係が逆転し、左車線および右車線それぞれの向きが反対になっている（上下が反転されており、左右が反転されている）。すなわち、処理部１１２は、路面に関する図面データＦ２２に対して上下反転および左右反転させることによって路面に関する図面データＦ３２を得ればよい。
【００８３】
また、図１０に示すように、表示制御部１１５は、見上げ図（右車線）Ｆ３０における変状位置に対して、変状種類を示す情報に対応する表示画像Ｄ１３を合成してよい。
【００８４】
なお、図１０に示すように、表示制御部１１５は、見上げ図（左車線）Ｆ２０に合成されていた表示画像Ｄ１１、Ｄ１２（図８）に対しても、道路トンネルに関する図面データＦ２１から道路トンネルに関する図面データＦ３１へのアフィン変換と同一のアフィン変換（すなわち、上下反転および左右反転）を行ってよい。そして、表示制御部１１５は、当該アフィン変換後の表示画像Ｄ１１、Ｄ１２を見上げ図（右車線）Ｆ３０に合成してよい。
【００８５】
また、表示制御部１１５は、見上げ図（左車線）Ｆ２０に合成されていた文字列Ｅ１１（図８）に対しては、道路トンネルに関する図面データＦ２１から道路トンネルに関する図面データＦ３１へのアフィン変換と同一のアフィン変換のうち位置のみの変換（すなわち、向きの無反転、位置の上下反転および左右反転）を行ってよい。そして、表示制御部１１５は、当該アフィン変換後の文字列Ｅ１１を見上げ図（右車線）Ｆ３０に合成してよい。
【００８６】
（１−３−４．他の利用方法）
以上においては、ユーザが道路トンネルＮ１０の外側からの点検を行った後、道路トンネルＮ１０の内部のうち左車線側の点検を行い、道路トンネルＮ１０の内部のうち右車線側の点検を行う例を説明した。しかし、ユーザが点検を行う順序は特に限定されない。このとき、ユーザが点検を行う順序に応じて、見下げ図Ｆ１０、見上げ図（左車線）Ｆ２０および見上げ図（右車線）Ｆ３０のうち、あらゆる二つの組み合わせの間で変換が行われ得る。
【００８７】
図１１は、見下げ図Ｆ１０、見上げ図（左車線）Ｆ２０および見上げ図（右車線）Ｆ３０のうち、あらゆる二つの組み合わせの間で行われる変換の例を示す図である。図１１に示すように、あらゆる二つの図面データの間で変換が行われ得る。なお、マークＣ１０、マークＣ２０およびマークＣ３０それぞれは、路面（左車線および右車線）の位置と向きとが把握されやすくするため、路面（左車線および右車線）に対して固定して表示されてよい。
【００８８】
図１２は、見下げ図Ｆ１０、見上げ図（左車線）Ｆ２０および見上げ図（右車線）Ｆ３０のうち、あらゆる二つの道路トンネルに関する図面データ（壁面部分の図面データ）の組み合わせの間で行われる変換の例を示す図である。図１２を参照すると、切り替え前の視点および切り替え後の視点に対応して、道路トンネルに関する図面データ（壁面部分の図面データ）に対して行われる変換の例が示されている。
【００８９】
図１３は、見下げ図Ｆ１０、見上げ図（左車線）Ｆ２０および見上げ図（右車線）Ｆ３０のうち、あらゆる二つの路面に関する図面データ（路面部分の図面データ）の組み合わせの間で行われる変換の例を示す図である。図１３を参照すると、切り替え前の視点および切り替え後の視点に対応して、路面に関する図面データ（路面部分の図面データ）に対して行われる変換の例が示されている。
【００９０】
以上、本発明の実施形態に係る情報処理システム１の機能詳細について説明した。
【００９１】
（１−４．情報処理システムの動作）
続いて、本発明の実施形態に係る情報処理システム１の動作例について説明する。図１４は、本発明の実施形態に係る情報処理システム１の動作例を示すフローチャートである。図１４に示すように、まず、タブレット端末１０において、表示制御部１１５は、基本視点の図面の表示を制御する（Ｓ１１）。基本視点の図面は、上記においては、見下げ図Ｆ１０に相当する。そして、ユーザによって視点切り替えが選択された場合（Ｓ１２において「Ｙｅｓ」）、処理部１１２は、視点切り替えに応じたアフィン変換により、切り替え後の視点における図面データを生成する（Ｓ１３）。
【００９２】
視点切り替えの選択は、上記した例では、見下げ図選択ボタンＢ２１、見上げ図（左車線）選択ボタンＢ２２および見上げ図（右車線）選択ボタンＢ２３のいずれかの選択に相当する。表示制御部１１５は、切り替え後の視点における図面の表示を制御し（Ｓ１４）、Ｓ１２に戻る。一方、制御部１１０は、ユーザによって視点切り替えが選択されなかった場合（Ｓ１２において「Ｎｏ」）、Ｓ１５に進む。
【００９３】
続いて、ユーザによって変状情報の入力が選択された場合（Ｓ１５において「Ｙｅｓ」）、点検結果データ取得部１１４は、入力部１２０を介して図面における変状位置の入力を受け付け、表示制御部１１５は、入力画面の表示を制御する（Ｓ１６）。変状情報の入力の選択は、上記した例では、変状情報入力選択ボタンＢ１１の選択に相当する。
【００９４】
一方、ユーザによって変状情報の入力が選択されなかった場合（Ｓ１５において「Ｎｏ」）、制御部１１０は、Ｓ１８に進む。ユーザによって入力完了が選択されなかった場合（Ｓ１８において「Ｎｏ」）、制御部１１０は、Ｓ１２に戻る。一方、ユーザによって入力完了が選択された場合（Ｓ１８において「Ｙｅｓ」）、制御部１１０は、動作を終了する。
【００９５】
以上、本発明の実施形態に係る情報処理システム１の動作例について説明した。
【００９６】
（１−５．ハードウェア構成例）
続いて、本発明の実施形態に係るタブレット端末１０のハードウェア構成について説明する。図１５は、本発明の実施形態に係るタブレット端末１０のハードウェア構成を示す図である。タブレット端末１０は、ＣＰＵ（Ｃｅｎｔｒａｌ  Ｐｒｏｃｅｓｓｉｎｇ  Ｕｎｉｔ）９０１と、ＲＯＭ（Ｒｅａｄ  Ｏｎｌｙ  Ｍｅｍｏｒｙ）９０２と、ＲＡＭ（Ｒａｎｄｏｍ  Ａｃｃｅｓｓ  Ｍｅｍｏｒｙ）９０３と、ホストバス９０４と、ブリッジ９０５と、外部バス９０６と、インタフェース９０７と、入力装置９０８と、出力装置９０９と、ストレージ装置９１０と、センサ９１１と、を備える。
【００９７】
ＣＰＵ９０１は、演算処理装置および制御装置として機能し、各種プログラムに従ってタブレット端末１０内の動作全般を制御する。また、ＣＰＵ９０１は、マイクロプロセッサであってもよい。ＲＯＭ９０２は、ＣＰＵ９０１が使用するプログラムや演算パラメータ等を記憶する。ＲＡＭ９０３は、ＣＰＵ９０１の実行において使用するプログラムや、その実行において適宜変化するパラメータ等を一時記憶する。これらはＣＰＵバス等から構成されるホストバス９０４により相互に接続されている。
【００９８】
ホストバス９０４は、ブリッジ９０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス９０６に接続されている。なお、必ずしもホストバス９０４、ブリッジ９０５および外部バス９０６を分離構成する必要はなく、１つのバスにこれらの機能を実装してもよい。
【００９９】
入力装置９０８は、マウス、キーボード、タッチパネル、ボタン、マイクロフォン、スイッチおよびレバー等ユーザが情報を入力するための入力手段と、ユーザによる入力に基づいて入力信号を生成し、ＣＰＵ９０１に出力する入力制御回路等から構成されている。タブレット端末１０を操作するユーザは、この入力装置９０８を操作することにより、タブレット端末１０に対して各種のデータを入力したり処理動作を指示したりすることができる。
【０１００】
出力装置９０９は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置、ランプ等の表示装置およびスピーカ等の音声出力装置を含む。
【０１０１】
ストレージ装置９１０は、データ格納用の装置である。ストレージ装置９１０は、記憶媒体、記憶媒体にデータを記録する記録装置、記憶媒体からデータを読み出す読出し装置および記憶媒体に記録されたデータを削除する削除装置等を含んでもよい。ストレージ装置９１０は、例えば、ＨＤＤ（Ｈａｒｄ  Ｄｉｓｋ  Ｄｒｉｖｅ）で構成される。このストレージ装置９１０は、ハードディスクを駆動し、ＣＰＵ９０１が実行するプログラムや各種データを格納する。
【０１０２】
センサ９１１は、センシングによってセンサデータを検出する。例えば、センサ９１１は、加速度センサ、ジャイロセンサおよび地磁気センサの少なくともいずれか一つを含んでよい。加速度センサは、タブレット端末１０に生じる加速度をセンサデータとして検出する。また、ジャイロセンサは、タブレット端末１０に生じる角速度をセンサデータとして検出する。また、地磁気センサは、タブレット端末１０が向いている方角をセンサデータとして検出する。
【０１０３】
以上において、本発明の実施形態に係るタブレット端末１０のハードウェア構成について説明した。
【０１０４】
（１−６．効果）
本発明の実施形態によれば、道路トンネルＮ１０に対するユーザの視点に応じた道路トンネルＮ１０に関する図面データ（見下げ図）の表示を制御する表示制御部１１５と、視点の切り替えを検出する検出部１１１と、を備える、タブレット端末１０が提供される。ここで、表示制御部１１５は、視点の切り替えが検出された場合、道路トンネルＮ１０に関する図面データに対するアフィン変換後の図面データの表示を制御する。
【０１０５】
かかる構成によれば、道路トンネルＮ１０の内部を視点として道路トンネルＮ１０の点検結果を記載するために、ユーザが自ら点検結果を見下げ図に入力可能な形式に変換する必要がなくなる（視点変換を行う必要がなくなる）。そのため、道路トンネルＮ１０に対する点検結果の記載をより効率よく行うことが可能となる。より具体的には、ユーザの十分な経験を要することなく、点検業務を効率よく行うことが可能となり、点検結果の記載ミスが発生する可能性が低減される。
【０１０６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０７】
例えば、上記においては、道路トンネルＮ１０が、道路トンネル全体の一部として示されている。このように、道路トンネル全体の分割によって得られる複数の分割データの１つが表示されている場合、表示制御部１１５は、ユーザによって所定の遷移操作（例えば、遷移ボタンの押下など）が入力された場合、次の分割データの表示に切り替えてもよい。例えば、表示制御部１１５は、道路トンネル全体の分割によって得られる第１の分割データおよび第２の分割データのうちの第１の分割データが表示されている状態において、所定の遷移操作が入力された場合、第１の分割データの表示を停止するとともに第２の分割データの表示を開始してもよい。
【０１０８】
また、上記においては、説明を簡便にするため、変状位置を示す情報として１点の座標Ｐ（Ｘ，Ｙ）が入力される場合を説明した。このとき、視点の切り替えが検出された場合に、表示画像Ｄ１１、Ｄ１２もアフィン変換される例を説明した。しかし、変状位置を示す情報が１点の座標である場合、アフィン変換のうち位置のみの変換が表示画像Ｄ１１、Ｄ１２に対してされてもよい（表示画像Ｄ１１、Ｄ１２に対して向きの変換はされなくてもよい）。
【０１０９】
さらに、上記においては、点検結果データ取得部１１４によって取得された各情報が、記録制御部１１３によって記録制御される例を説明した。このとき、記録制御部１１３は、点検結果データ取得部１１４によって取得された各情報に関連付けて、タブレット端末１０を使用したユーザの識別情報（ユーザＩＤ）も記録制御してよい。一例として、ユーザＩＤがタブレット端末１０の識別情報（端末ＩＤ）に関連付けられている場合、記録制御部１１３は、使用されているタブレット端末１０の端末ＩＤに関連付けられているユーザＩＤを記録制御してよい。
【符号の説明】
【０１１０】
１      情報処理システム
１０    タブレット端末
１１０  制御部
１１１  検出部
１１２  処理部
１１３  記録制御部
１１４  点検結果データ取得部
１１５  表示制御部
１２０  入力部
１３０  センサ部
１４０  記憶部
１５０  表示部
２０    電子ペン
【図１】
2018116592.tif 000003
【図２】
2018116592.tif 000004
【図３】
2018116592.tif 000005
【図４】
2018116592.tif 000006
【図５】
2018116592.tif 000007
【図６】
2018116592.tif 000008
【図７】
2018116592.tif 000009
【図８】
2018116592.tif 000010
【図９】
2018116592.tif 000011
【図１０】
2018116592.tif 000012
【図１１】
2018116592.tif 000013
【図１２】
2018116592.tif 000014
【図１３】
2018116592.tif 000015
【図１４】
2018116592.tif 000016
【図１５】
2018116592.tif 000017